(57)【特許請求の範囲】
【請求項１】
自機の電話番号として、１つの電話番号を記憶することができる携帯電話機であって、
識別情報と複数の電話番号との対応付けと、電話番号と携帯電話機固有の識別情報との対応付けとを記憶している電話番号管理サーバとネットワークを介して通信するネットワーク通信手段と、
前記ネットワーク通信手段を介して、前記識別情報を送信すると共に、前記電話番号管理サーバから当該識別情報に対応する複数の電話番号に関する情報を取得する電話番号取得手段と、
前記電話番号取得手段が取得した複数の電話番号のうち１つの電話番号を選択して自機の電話番号として記憶する記憶手段と、
前記ネットワーク通信手段を介して、前記１つの電話番号と自機の識別番号とを含む情報を通知して前記電話番号管理サーバに前記１つの電話番号を自機へ割り当てるように対応付けを変更することを要求する要求手段とを備える
ことを特徴とする携帯電話機。
【請求項２】
前記携帯電話機は更に、
前記記憶手段で記憶されている電話番号を出力する出力手段とを備える
ことを特徴とする請求項１記載の携帯電話機。
【請求項３】
前記携帯電話機は更に、
前記電話番号管理サーバに登録されていない電話番号を、前記ネットワーク通信手段を介して、前記電話番号管理サーバに新たに登録する登録手段を備える
ことを特徴とする請求項１記載の携帯電話機。
【請求項４】
前記登録手段は更に、前記電話番号と共に、当該電話番号を利用することを許可するための認証情報も登録し、
前記要求手段は、前記電話番号管理サーバに対して、電話番号を要求する際に、当該電話番号を利用するための認証情報をも送信する
ことを特徴とする請求項３記載の携帯電話機。
【請求項５】
前記携帯電話機は更に、
他の携帯電話機に対して、近距離無線を用いて、自機の電話番号を前記他の携帯電話機に伝達し、当該他の携帯電話機のＩＤを取得するＩＤ取得手段と、
前記電話番号管理サーバにて自機に割り当てられている電話番号を前記他の携帯電話機に割り当てることを要請する要請手段とを備える
ことを特徴とする請求項１記載の携帯電話機。
【請求項６】
携帯電話機を呼び出す際に、電話番号で指定される携帯電話機のIDを求め、当該IDで特定される携帯電話機を呼び出す方式の電話網における電話番号管理サーバであって、
電話番号と携帯電話機のＩＤとを対応付けて記憶する対応記憶手段と、
識別情報に複数の電話番号とを対応付けて記憶する電話番号記憶手段と、
携帯電話機から識別情報を受けて、当該識別情報に対応する複数の電話番号の情報を送信する送信手段と、
携帯電話機からの前記送信手段が送信した複数の電話番号のうちの１つの電話番号への前記対応付けの変更の要求を受け付ける受付手段と、
前記受付手段で、受け付けた前記要求に基づいて指定される電話番号の、前記記憶手段における前記電話番号と携帯電話機のＩＤとの対応付けを変更する変更手段とを備える
ことを特徴とする電話番号管理サーバ。
【請求項７】
前記対応記憶手段は、電話番号と携帯電話機のＩＤと、当該電話番号を利用するための認証情報とを対応付けて記憶しており、
前記受付手段は、前記要求と共に、認証情報も受け付け、
前記電話番号管理サーバは、前記受付手段で受け付けた認証情報と、前記対応記憶手段に記憶されている前記受付手段で要求された電話番号の認証情報とが一致するかどうかを判定する認証手段を備え、
前記変更手段は、前記認証手段で一致すると判定された場合に前記対応付けを変更する
ことを特徴とする請求項６記載の電話番号管理サーバ。
【請求項８】
前記電話番号管理サーバは、
前記変更手段で、電話番号と携帯電話機のIDの対応付けを変更した場合に、当該IDを有する携帯電話機に対して、電話番号を通知する通知手段を備える
ことを特徴とする請求項６記載の電話番号管理サーバ。
【請求項９】
複数の携帯電話機と、携帯電話機を呼び出す際に電話番号で指定される携帯電話機のIDを求め、当該IDで特定される携帯電話機を呼び出す方式の電話網における電話番号管理サーバとを含んで構成される電話番号変更システムであって、
前記電話番号管理サーバは、
電話番号と携帯電話機のＩＤとを対応付けて記憶する対応記憶手段と、
識別情報に複数の電話番号とを対応付けて記憶する電話番号記憶手段と、
携帯電話機から識別情報を受けて、当該識別情報に対応する複数の電話番号の情報を送信する送信手段と、
携帯電話機からの前記送信手段が送信した複数の電話番号のうちの１つの電話番号への前記対応付けの変更の要求を受け付ける受付手段と、
前記受付手段で、受け付けた前記要求に基づいて指定される電話番号の、前記記憶手段における前記電話番号と携帯電話機のＩＤとの対応付けを変更する変更手段とを備え、
前記携帯電話機は、
識別情報と複数の電話番号との対応付けと電話番号と携帯電話機固有の識別情報との対応付けとを記憶している電話番号管理サーバとネットワークを介して通信するネットワーク通信手段と、
前記ネットワーク通信手段を介して、前記識別情報を送信すると共に、前記電話番号管理サーバから当該識別情報に対応する複数の電話番号に関する情報を取得する電話番号取得手段と、
前記電話番号取得手段が取得した複数の電話番号のうち１つの電話番号を選択して自機の電話番号として記憶する記憶手段と、
前記ネットワーク通信手段を介して、前記１つの電話番号と自機の識別番号とを含む情報を通知して前記電話番号管理サーバに前記１つの電話番号を自機へ割り当てるように対応付けを変更することを要求する要求手段とを備える
ことを特徴とする電話番号変更システム。
【請求項１０】
自機の電話番号として、１つの電話番号を記憶することができる携帯電話機における、電話番号と携帯電話機のIDを対応付けて記憶する電話番号管理サーバに対して電話番号の対応付けの変更を要求する要求方法であって、
識別情報と複数の電話番号との対応付けと、電話番号と携帯電話機固有の識別情報との対応付けとを記憶している電話番号管理サーバにネットワークを介して、前記識別情報を送信すると共に、前記電話番号管理サーバから当該識別情報に対応する複数の電話番号に関する情報を取得する電話番号取得ステップと、
前記電話番号取得ステップで取得した複数の電話番号のうち１つの電話番号を選択して自機の電話番号として記憶する記憶ステップと、
前記ネットワークを介して、前記１つの電話番号と自機の識別番号とを含む情報を通知して前記電話番号管理サーバに前記１つの電話番号を自機へ割り当てるように対応付けを変更することを要求する要求ステップとを含む
ことを特徴とする要求方法。
【請求項１１】
自機の電話番号として、１つの電話番号を記憶することができる携帯電話機のコンピュータに、電話番号と携帯電話機のIDを対応付けて記憶する電話番号管理サーバに対して電話番号の対応付けの変更を要求するための処理手順を示した要求プログラムであって、前記処理手順は、
識別情報と複数の電話番号との対応付けと、電話番号と携帯電話機固有の識別情報との対応付けとを記憶している電話番号管理サーバにネットワークを介して、前記識別情報を送信すると共に、前記電話番号管理サーバから当該識別情報に対応する複数の電話番号に関する情報を取得する電話番号取得ステップと、
前記電話番号取得ステップで取得した複数の電話番号のうち１つの電話番号を選択して自機の電話番号として記憶する記憶ステップと、
前記ネットワークを介して、前記１つの電話番号と自機の識別番号とを含む情報を通知して前記電話番号管理サーバに前記１つの電話番号を自機へ割り当てるように対応付けを変更することを要求する要求ステップとを含む
ことを特徴とする電話番号要求プログラム。
【発明の詳細な説明】
【技術分野】
【０００１】
本発明は携帯電話機及び、当該携帯電話機が含まれるシステムに関し、特に、携帯電話機の通話に用いる電話番号を他の携帯電話機の電話番号に関する発明に属する。
【背景技術】
【０００２】
現在、携帯電話機を２台以上保持するユーザがいる。
これは、企業に勤めている場合に、出社するときには通話機能のみを有する携帯電話機を使用し、日常のプライベートにおいてはカメラ機能など様々な機能を有するプライベート用の携帯電話機を使用しているユーザがいるためである。この場合、基本的に異なる２台の携帯電話機を保持している必要があり、更に電話番号にしても各携帯電話機それぞれが電気通信事業者から電話番号の割り当てを受けることにより課金が発生するため不経済である。
【０００３】
これに対応するためにＳＩＭ（Subscribe Identity Module）カードを使用する方法がある。ＳＩＭカードとは、携帯電話機においてユーザの電話番号、メール、アドレス帳、携帯電話機IDなどの情報を記録してあるカードである。このカードを別の携帯電話機に差し替えることにより、当該別の携帯電話機を自分の携帯電話機として利用（例えば通話）できる。このようなＳＩＭは、ＵＩＭ（User Identity Module）と呼称されることもある。
【０００４】
しかし、ＳＩＭカードの差し替えはユーザにとって煩雑なものである。
そこで、特許文献１においては、携帯電話機にＳＩＭカードを取り付けるための手間を省くために、ＳＩＭカードを装着して、ＳＩＭカードに登録されている携帯電話機ＩＤをユーザの保持する携帯電話機のいずれかに送信するカードケースが開示されている。
【特許文献１】特開２００３−２４４２９０号公報
【発明の開示】
【発明が解決しようとする課題】
【０００５】
しかし、ユーザが誤ってＳＩＭカードが装着されていない携帯電話機を携帯した場合には、携帯電話機として通話の機能を果たさず、ユーザは不便な思いをすることとなる。
また、特許文献１の技術を用いるならば、携帯電話機のほかにもカードケースを購入しなければならず、経済的負担をユーザに強いることになる。また、携帯電話機のほかにもカードケースを持ち歩く必要がでてくるため、余分な荷物も増えることになる。カードケースを忘れた場合には、当然、他の携帯電話機に電話番号を移すことができなくなる。
【０００６】
そこで本発明においては、複数の携帯電話機で１の電話番号を使用できることができる携帯電話機と、そのシステムを提供することを目的とする。
【課題を解決するための手段】
【０００７】
上記課題を解決するため、本発明に係る携帯電話機は、電話番号と携帯電話機固有の識別情報とを対応付けることにより前記対応付けがなされている携帯電話機間の通話を仲介する電話番号管理サーバとネットワークを介して通信するネットワーク通信手段と、前記ネットワーク通信手段を介して、自機の識別情報を含む情報を前記電話番号管理サーバに通知すると共に、前記電話番号管理サーバに予め登録されている所定の電話番号と通知した当該識別情報との対応付けを前記電話番号管理サーバに要求する要求手段とを備えることを特徴としている。
【０００８】
ここで識別情報とは、基地局や電話交換局が各携帯電話機の区別をつけるための情報であればよい。例えば、携帯電話機固有のＩＤ（IDentifier）番号のことである。
また、ここでいう所定の電話番号とは、電話番号管理サーバに登録されている電話番号であり、全ての携帯電話機と電話番号との対応がなされている必要はない。
【発明の効果】
【０００９】
上述のような構成によって、携帯電話機は、サーバに登録されている電話番号を自機の電話番号として要求し、当該電話番号にかけられた他の電話機からの電話を受けて通話ができるようになる。このように、従来必要だったＳＩＭカードを差し替えるといった手間がなくなっている。また、特許文献１に示すようなカードケースも必要ないため、ユーザに経済的負担を強いることもない。更に、電気通信事業者と契約している電話番号は一つだけなので、電話番号を複数の携帯電話機それぞれで使用できるようになっている場合よりも経済的である。
【００１０】
また、ユーザが複数の携帯電話機を保持していた場合に、その日その日のユーザの気分で気楽に使用する携帯電話機を変えて持ち歩くことができるので、携帯電話機のアクセサリー性を高めることにも貢献することができる。
また、前記携帯電話機は更に、前記電話番号管理サーバから送信されてきた電話番号を自機の電話番号として記憶する記憶手段と、前記記憶手段で記憶されている電話番号を出力する出力手段とを備えることとしてもよい。
【００１１】
これにより、携帯電話機は、サーバから送信されてきた電話番号を自機の電話番号として記憶し、自機のモニタに表示したり、他の携帯電話機に自機の携帯電話機の電話番号を赤外線通信などで通知できるようになる。
また、前記携帯電話機は更に、前記電話番号管理サーバに登録されていない電話番号を、前記ネットワーク通信手段を介して、前記電話番号管理サーバに新たに登録する登録手段を備えることとしてもよい。
【００１２】
これにより、携帯電話機は、電話番号管理サーバに自機で使用したい電話番号を登録しておくことができ、以後、その電話番号を他の携帯電話機で使用することができるようになる。
また、前記登録手段は更に、前記電話番号と共に、当該電話番号を利用することを許可するための認証情報も登録し、前記要求手段は、前記電話番号管理サーバに対して、電話番号の対応付けを要求する際に、当該電話番号を利用するための認証情報を送信することとしてもよい。
【００１３】
これにより、ユーザの任意で認証番号を登録でき、ユーザ個人だけが、その電話番号を利用できるようにすることができる。
電話番号管理サーバは、ユーザで設定した認証番号で電話番号の使用権を取得できるかどうかを判断するので、ユーザは自分にとって覚えやすい認証番号の設定ができたり、また、他のユーザに電話番号を利用されるかもしれないという不安を和らげることができる。
【００１４】
通常電話番号を勝手に変更されるとユーザは困るが、認証情報を送信することで電話番号の変更に関するセキュリティ性をあげることもできる。
また、前記携帯電話機は更に、他の携帯電話機に対して、近距離無線を用いて、自機の電話番号を前記他の携帯電話機に伝達し、当該他の携帯電話機の識別情報を取得する取得手段と、前記取得手段で取得した前記他の携帯電話機の識別情報を前記電話番号管理サーバに送信することにより、前記電話番号管理サーバにて自機の識別情報に対応付けられている電話番号を前記他の携帯電話機の識別情報に対応付けることを要請する要請手段とを備えることとしてもよい。
【００１５】
これにより、携帯電話機は、他の携帯電話機に対して、自機で使用している電話番号を、その他の携帯電話機の電話番号として変更することを電話番号管理サーバに対して要請することができるようになる。
こうすることで、電話番号を取得したい携帯電話機がネットワークに通信できない場合であっても、電話番号管理サーバに対して電話番号の対応付けの変更を他の携帯電話機から要求することができる。
【００１６】
また、本発明に係る電話番号管理サーバは、電話番号と携帯電話機固有の識別情報とを対応付けることにより前記対応付けがなされた携帯電話機間の通話を仲介する電話番号管理サーバであって、電話番号と携帯電話機の識別情報とを一対一の関係にて対応付けて記憶する記憶手段と、携帯電話機から、電話番号と当該携帯電話機で指定される携帯電話機の識別情報との対応付けの要求を受け付ける受付手段と、前記受付手段において受け付けた前記要求に基づいて指定される電話番号の、前記記憶手段における携帯電話機の識別情報との対応付けを、当該電話番号と前記受付手段で受け付けた携帯電話機の識別情報との対応付けにする対応付手段とを備えることを特徴とする。
【００１７】
これにより、電話番号管理サーバは、携帯電話機からの要求に応じて、電話番号と携帯電話機の識別情報との対応付けを、当該電話番号と携帯電話機から送信されてきた識別情報との対応に変更することができるようになる。従って、対応付けが変更されたときから、当該電話番号に対してかけられてきた通話要求は、変更されて対応付けがなされた識別情報を有する携帯電話機で受けることができるようになる。
【００１８】
また、前記電話番号管理サーバにおいて、前記記憶手段は、電話番号および／または携帯電話機の識別情報と、当該電話番号に対応する識別情報の変更を許可するための第一認証情報とを対応付けて記憶しており、前記受付手段は、前記要求と共に、第二認証情報をも受け付け、前記電話番号管理サーバは、前記受付手段で受け付けた前記第二認証情報と、前記記憶手段に記憶されている前記受付手段で要求された電話番号の前記第一認証情報とが一致するかどうかを判定する認証手段を備え、前記対応付手段は、前記認証手段が前記第一認証情報と前記第二認証情報とが一致すると判定した場合に前記対応付けを実行することとしてよい。
【００１９】
これにより、電話番号管理サーバは、電話番号と携帯電話機の識別情報の対応付けの変更を行うにあたって、携帯電話機から送信されてきた認証情報を用いて、その許否判断を行うことができる。これにより、ユーザに対して、その電話番号を利用できるのは、その認証情報を知るユーザのみであり、他のユーザによって利用されないという安心感を与えることができる。
【００２０】
また、前記電話番号管理サーバは更に、前記対応付手段によって電話番号と携帯電話機の識別情報との対応付けがなされた場合に、対応付けがなされた識別情報を有する携帯電話機に対して、対応している電話番号を通知する通知手段を備えることとしてよい。
これにより、電話番号管理サーバは、携帯電話機に対して、どの電話番号が当該携帯電話機に対応しているかを知らせることができ、携帯電話機のユーザは、自機の電話番号を確認することができる。そしてユーザは、例えば、友人に携帯電話機の電話番号を教えることができるようになる。
【００２１】
また、本発明に係る電話番号変更システムは、複数の携帯電話機と、電話番号と携帯電話機固有の識別情報とを対応付けることにより前記対応付けがなされている携帯電話機間の通話を仲介する電話番号管理サーバとを含んで構成される電話番号変更システムであって、前記電話番号管理サーバは、電話番号と携帯電話機の識別情報とを一対一の関係にて対応付けて記憶する記憶手段と、携帯電話機から、電話番号と当該携帯電話機で指定される携帯電話機の識別情報との対応付けの要求を受け付ける受付手段と、前記受付手段において受け付けた前記要求に基づいて指定される電話番号の、前記記憶手段における携帯電話機の識別情報との対応付けを、当該電話番号と前記受付手段で受け付けた携帯電話機の識別情報との対応付けにする対応付手段とを備え、前記携帯電話機は、前記電話番号管理サーバとネットワークを介して通信するネットワーク通信手段と、前記ネットワーク通信手段を介して、自機の識別情報を含む情報を前記電話番号管理サーバに通知すると共に、前記電話番号管理サーバに予め登録されている所定の電話番号と通知した当該識別情報との対応付けを前記電話番号管理サーバに要求する要求手段とを備えることを特徴とする。
【００２２】
このシステムにおいて携帯電話機と電話番号管理サーバとがデータの送受信を行うことにより、電話番号管理サーバにおいて、電話番号と携帯電話機の識別情報との対応付けを行うことにより、携帯電話機に対して電話番号の割り当てを実行することができる。
また、本発明は、携帯電話機において、携帯電話機において、電話番号と携帯電話機固有の識別情報とを対応付けることにより前記対応付けがなされている携帯電話機間の通話を仲介する電話番号管理サーバに対して電話番号と識別情報との対応付けを要求する要求方法であって、ネットワークを介して、所定の電話番号と、自機で送信する携帯電話機の識別情報との対応付けを要求する要求ステップと、前記対応付けを変更する拒否判断を前記電話番号管理サーバが行うための基準となる認証情報を送信する送信ステップとを含むことを特徴とする。
【００２３】
この方法を実行することにより、携帯電話機は、電話番号管理サーバに対して電話番号と携帯電話機の識別情報の対応付けの変更を要求することができる。この変更要求が電話番号管理サーバにおいて認められた場合には、その電話番号にかけられてきた電話は、自機で受信することができるようになる。
また、本発明は、携帯電話機のコンピュータに、電話番号と携帯電話機固有の識別情報とを対応付けることにより前記対応付けがなされている携帯電話機間の通話を仲介する電話番号管理サーバに対して電話番号と識別情報との対応付けの変更を要求するための処理手順を示した要求プログラムであって、前記処理手順は、ネットワークを介して、所定の電話番号と、自機で送信する携帯電話機の識別情報との対応付けを要求する要求ステップと、前記対応付けを変更する拒否判断を前記電話番号管理サーバが行うための基準となる認証情報を送信する送信ステップとを含むことを特徴とする。
【００２４】
このプログラムを携帯電話機のコンピュータが実行することにより、携帯電話機は、電話番号管理サーバに対して電話番号と携帯電話機の識別情報との対応付けの変更を要求することができる。この変更要求が電話番号管理サーバにおいて認められた場合には、その電話番号にかけられてきた電話は、自機で受信することができるようになる。
【発明を実施するための最良の形態】
【００２５】
以下、本発明に係る電話番号変更システムについて図面を用いて説明する。
図１に本システムの使用形態を示した。
同図に示すように、電話番号変更システムは、携帯電話機１００〜１０２と、電話番号管理サーバ１１０と、アクセスポイントであるＡＰ１２０、１２１と、基地局１３０、１３１と、インターネット網１４０と、電話網１５０とを含んで構成される。図中において、例えば、携帯電話機１０１と基地局１３０との間にある電気の記号は、携帯電話機１０１と基地局１３０とが無線で通信できる状態にあることを示す。
【００２６】
携帯電話機１００〜１０２は、基地局ならびにアクセスポイントと無線で通信できる機能を有している。また、ＡＰ１２０、１２１と電話番号管理サーバ１１０とはインターネット網１４０に接続されており、基地局１３０、１３１は電話網１５０に接続されている。
本図においては携帯電話機１００は、インターネット網１４０には接続できるものの、電話局において自機を識別させるための情報である携帯電話機固有のＩＤと電話番号との対応付けがなされていないために通話はできない状態になっている。
【００２７】
他方、携帯電話機１０１及び１０２は、インターネット網１４０、電話網１５０のいずれにも接続可能な状態になっている。また、携帯電話機１００と携帯電話機１０１とは、一人のユーザによって所有されているものとする。
携帯電話機１００〜１０２は、通常の携帯電話機と同等の機能を有するものであり、代表として携帯電話機１００の機能構成を図２の機能ブロック図に示した。
【００２８】
図２に示すように携帯電話機１００は、ネットワーク通信部２１０と、通話通信部２２０と、音声処理部２３０と、操作部２４０と、表示部２５０と、記憶部２６０と、制御部２７０とを含んで構成される。
上述のネットワーク通信手段は、ネットワーク通信部２１０によって、要求手段は、制御部２７０によって実現される。また、記憶手段は記憶部２６０によって、出力手段は、制御部２７０と、ネットワーク通信部２１０や表示部２５０との組み合わせによって実現される。また、登録手段はネットワーク通信部２１０と制御部２７０の組み合わせによって実現される。
【００２９】
ネットワーク通信部２１０は、アンテナ２１１を含み、当該アンテナ２１１を介してインターネット網に接続して通信を実行する機能を有する。更に、ネットワーク通信部２１０は、制御部２７０から伝達されたメールデータなどを送信したり、送信されてきたメールデータをアンテナ２１１を介して受信し、制御部２７０に伝達する機能を有する。また、ネットワーク通信部２１０は、ウェブページデータを取得して制御部２７０に伝達するといった機能も有する。
【００３０】
通話通信部２２０は、アンテナ２２１を含んで構成され、アンテナ２２１から受け取った受信信号を受話音声信号に復調し、復調した受話音声信号を制御部２７０を介して音声処理部２３０に出力する機能を有する。また、通話通信部２２０は、音声処理部２３０でＡ／Ｄ変換された送話音声信号を変調し、アンテナ２１１から出力する機能を有する。
音声処理部２３０は、通話通信部２２０から出力された受話音声信号をＤ／Ａ変換してスピーカ２３２に出力する機能と、マイク２３１から取得した送話音声信号をＡ／Ｄ変換し、生成した信号を通話通信部２２０に出力する機能とを有する。
【００３１】
操作部２４０は、テンキー、オンフックキー、オフフックキー、方向キー、決定キーなどの諸キー群を含み、ユーザの操作を受け付け、受け付けた操作内容を制御部２７０に伝達する機能を有する。
表示部２５０は、ＬＣＤ（Liquid Crystal Display）などによって実現されるモニタを含み、制御部２７０の指示による画像をモニタに表示する機能を有する。具体的には、表示部２５０は、待ち受け画面やメールの文書、時間などを表示する。
【００３２】
記憶部２６０は、ＲＯＭ（Read Only Memory）と、ＲＡＭ（Random Access Memory）とを含んで構成され、小型ハードディスクや不揮発性メモリなどによって実現される。記憶部２６０は、携帯電話機１００が動作上必要とする各種プログラム、各種データなどを記憶する機能を有する。また、記憶部２６０は、本発明においては、特に自機の通話可能な電話番号を記憶している。
【００３３】
制御部２７０は、携帯電話機１００の各部を制御する機能を有する。特に本発明においては、携帯電話機の各部を制御して、ユーザからの入力を操作部２３０で受け付けて、電話番号管理サーバ１１０にアクセスして自機で所望の電話番号にかけられてきた通話要求を受けられるよう、電話番号と自機のＩＤとの対応付けを要求する機能を有する。
次に電話番号管理サーバ１１０について説明する。電話番号管理サーバ１１０は、交換可能な電話番号を記憶し、各携帯電話機で現在使用できる電話番号がどの電話番号であるかを管理する機能を有する。また、電話番号管理サーバ１１０は、電話交換機に対して、電話番号と携帯電話機の登録を変更した場合に、その情報を伝送する機能も有する。
【００３４】
その詳細を図３の機能ブロック図を用いて説明する。
図３にあるように電話番号管理サーバ１１０は、ネットワーク通信部３１０と、制御部３２０と、記憶部３３０とを含んで構成される。上述の電話番号管理サーバにおいて、記憶手段は、記憶部３３０によって、受付手段は、ネットワーク通信部３１０によって、対応付手段は、制御部３２０により実現される。
【００３５】
ネットワーク通信部３１０は、インターネット網１４０に接続され、当該インターネット網１４０に接続される他の機器とのデータのやり取りを実行する機能を有する。
制御部３２０は、認証部３２１を含み、電話番号管理サーバ１１０の各部を制御する機能を有し、携帯電話機の電話番号を管理する機能を有する。本発明においては、特に携帯電話機からの要求に応じて、認証部３２１が当該携帯電話機に電話番号を与えてよいかどうかを判断し、与えてよい場合に携帯電話機に電話番号を送信する。
【００３６】
記憶部３３０は、ハードディスク装置などの記録媒体で構成され、電話番号管理サーバ１１０を動作させる上での各種プログラム及びデータを記憶する機能を有する。本発明においては、特に、変更可能な電話番号と、その電話番号を使用する携帯電話機のＩＤとの対応付けを行ってある電話番号管理表３３１を示す情報を記憶している。電話番号管理表３３１の詳細については後述する。
【００３７】
また、電話番号管理サーバ１１０は、電話番号と、携帯電話機固有のＩＤ（識別情報）とを対応付けることにより前記対応付けがなされた携帯電話機間の通話を仲介する電話番号管理サーバであって、電話番号と携帯電話機のＩＤとを一対一の関係にて対応付けて記憶する記憶部（記憶手段）３３０と、携帯電話機のＩＤであって記憶部３３０において電話番号との対応付けがなされていないＩＤを有する携帯電話機から、当該携帯電話機のＩＤと記憶部３３０に記憶されている所定の電話番号との対応付けの要求を受け付けるネットワーク通信部（受付手段）３１０と、記憶部３３０における前記所定の電話番号と携帯電話機のＩＤとの対応付けを、前記所定の電話番号と前記ネットワーク通信部３１０にて受け付けた要求における前記携帯電話機のＩＤとの対応付けにする制御部（対応付手段）３２０とを備える構成でもある。
＜データ＞
ここでは、本システムにおいて必要となるデータについて説明する。
【００３８】
必要となるデータは電話番号管理サーバ１１０が管理している。このデータの一例を図４の電話番号管理表３３１に示した。電話番号管理表３３１は、電話番号管理サーバ１１０によって、携帯電話機からの電話番号の登録要求を受けた場合に、認証番号やユーザＩＤと共に新規に登録される。また、携帯電話機から電話番号と携帯電話機ＩＤの対応付けの変更要求を受けたとき、認証番号が正しかった場合に、対応付けが変更される。
【００３９】
電話番号管理表３３１は、電話番号欄４０１と、認証番号欄４０２と、携帯電話ＩＤ欄４０３と、ユーザＩＤ欄４０４とを含んで構成される。
電話番号欄４０１は、ユーザによって登録された複数の携帯電話機で共有できる電話番号を記録している。
認証番号欄４０２は、登録電話番号４０１に対応して記憶され、登録されている電話番号を使用する際に、電話番号管理サーバ１１０が書き換えを許可しても良いかどうかを判断するためのパスワードを記録している。当該パスワードを電話番号の要求時に入力することでその電話番号を利用することができるようになる。また、認証番号があることで、第３者によって、電話番号と携帯電話機のＩＤとの対応付けの変更がされることを防ぐこともできる。
【００４０】
登録電話番号４０１は、携帯電話機から電話番号の登録要求があった場合に制御部３２０によって、新規に登録される。また、認証番号４０２も、ともに電話番号に対応するように制御部３２０によって登録される。
携帯電話ＩＤ欄４０３は、電話番号に対応して、その電話番号にかけられた電話を受け取ることができる携帯電話機のＩＤが記録されている。ここに登録されているＩＤを有する携帯電話機のみがこの電話番号を使って通話をすることを許していることを示す情報が記録されている。ここに示される情報は、通話を許されている携帯電話機を、通話を許されていない携帯電話機のＩＤから区別するための情報である。携帯電話機ＩＤは、携帯電話機から電話番号の要求があり、認証部３２１が使用する許可を出した場合に、制御部３２０によって電話番号を要求してきた携帯電話機のＩＤに書き換えられる。
【００４１】
ユーザＩＤ欄４０４は、電話番号を使用しているユーザを特定するための情報を記録している。
図４に示すように例えば、電話番号「０９０−５１３２−ＡＡＡＡ」に対応している認証情報は、「１９９２７８０」であり、当該電話番号「０９０−５１３２−ＡＡＡＡ」を利用している携帯電話機のＩＤは、「Ａ０５−３９８２２１」となっている。
【００４２】
当該電話番号管理表３３１を記憶していることで、電話番号管理サーバ１１０は、携帯電話機ＩＤと電話番号との対応付けを電話交換機に対して設定できる。また、携帯電話機からの電話番号の要求の許否の判断を認証番号を用いて行うことができる。
＜動作＞
最後に、本実施の形態における携帯電話機と電話番号管理サーバ間において電話番号を携帯電話機が要求する場合のデータのやり取りの流れを図５に示すタイミングチャートを用いて説明する。なお、ここでは電話番号管理表３３１には、要求する電話番号とそのユーザＩＤと、認証番号とは既に登録されているものとして記述する。登録の処理については図６を用いて後述する。
【００４３】
まず、電話番号を要求する入力を操作部２４０を介してユーザから受け付けた携帯電話機１００の制御部２７０は、電話番号管理サーバ１１０に対して、ネットワーク通信部２１０を介してユーザＩＤを送信する（ステップS５０１、S５０２）。ユーザＩＤは、その時にユーザが入力してもよいし、予め携帯電話機１００の記憶部２６０に登録されていてもよい。
【００４４】
ユーザＩＤを受信した電話番号管理サーバ１１０の制御部３２０は、このユーザＩＤに対応する電話番号を電話番号管理表３３１から検索する（ステップS５０３）。そして制御部３２０は、検索して得られた電話番号を携帯電話機１００に送信する。検索して得られた電話番号が複数あった場合には、リストを構成して送信する（ステップS５０４、S５０５）。例えば、携帯電話機１００のユーザＩＤが、「ＲＭ０８０８」であった場合には、電話番号「０９０−８６５２−ＥＥＥＥ」と「０９０−３７７７−ＦＦＦＦ」とを送信する（図４参照）。
【００４５】
携帯電話機１００の制御部２７０は、電話番号管理サーバ１１０から送信されてきて受信した電話番号を表示部２５０に表示させる。表示部２５０の電話番号を確認したユーザは、複数あった場合には一つを選択し、その電話番号を使用するための認証番号を入力する（ステップS５０６）。電話番号の選択と認証番号の入力とを操作部２４０を介して受けた携帯電話機１００の制御部２７０は、選択された電話番号とその認証番号とを電話番号管理サーバ１１０に対して送信する（ステップS５０７）。
【００４６】
電話番号と認証番号とを受信した電話番号管理サーバ１１０の認証部３２１は、電話番号管理表３３１に記憶されている受信した電話番号に対応する認証番号と、受信した認証番号とが一致するかどうかを判定する（ステップS５０８）。
認証部３２１が認証番号が一致していないと判定した場合には、携帯電話機１００に対して認証番号が一致しなかったことを示し、電話番号を利用できない旨を示す使用不許可通知を示す情報を送信する。認証部３２１が認証番号を正しい、即ち一致していると判定した場合には、携帯電話機１００に対して、電話番号の使用許可通知を送信する（ステップS５０９、S５１０）。
【００４７】
そして使用許可通知を送信した場合には、電話番号管理表３２１の使用許可を出した電話番号に対応する携帯電話機ＩＤを使用許可を出した携帯電話機１００のＩＤに書き換える（ステップS５１２）。例えば、携帯電話機１００の携帯電話機ＩＤが「Ｇ２２−３９０８３４」で、使用する電話番号が、「０９０−３７７７−ＦＦＦＦ」であった場合には、「Ｇ９５−１２１１４０」と記載されている携帯電話機ＩＤが、「Ｇ２２−３９０８３４」に変更される。
【００４８】
一方、携帯電話機１００は、使用許可通知を受け取った場合には、自機の電話番号として、ユーザが選択した電話番号を記憶部２６０に記憶する。これまでに使用している電話番号があった場合には、その電話番号に上書きする。使用不許可通知を受け取った場合には、制御部２７０は、「認証番号が間違っています」といったエラーメッセージを表示部２５０に表示させる（ステップS５１１）。
【００４９】
こうして、電話番号管理サーバ１１０で、対応付けの変更が認められた場合には、携帯電話機１００は、自機で要求した電話番号にかけられてきた電話を自機で受信できるようになる。
以上が電話番号を要求してから電話番号を使用できるようになるまでの流れである。
図６のタイミングチャートは、携帯電話機１００から電話番号管理サーバ１１０に電話番号を登録する際の処理の流れを示す。
【００５０】
上記のように携帯電話機から、電話番号の対応付けの変更を要求するには、予め、使用する電話番号がサーバに設定されておく必要があるので、その登録の流れを示す。
ここでは、便宜的に携帯電話機１００のユーザが自機の電話番号の登録を行うものとして処理を記述する。
図６に示すように、まず、携帯電話機１００の操作部２４０から、ユーザからの登録要求の入力を受ける（ステップS６０１）。登録要求を受けた携帯電話機１００の制御部２７０は、電話番号管理サーバ１１０に対して電話番号の登録を要求する（ステップS６０２）。当該要求には、登録する電話番号も共に送信する。
【００５１】
電話番号の登録要求を受けた電話番号管理サーバ１１０は、携帯電話機１００に対して、当該電話番号を利用することができるユーザを規定するためのユーザＩＤと認証番号とを要求する（ステップS６０３、S６０４）。
当該要求を受けた携帯電話機１００は、ユーザＩＤの要求と認証番号の登録要求とがあることを表示部２５０に表示してユーザに知らせる。ユーザからのユーザＩＤと認証番号との入力を受けた携帯電話機１００は、当該ユーザＩＤと認証番号と自機の携帯電話機ＩＤとを電話番号管理サーバ１１０に対して送信する（ステップS６０５、S６０６）。
【００５２】
ユーザＩＤと認証番号と携帯電話機ＩＤの情報とを受信した電話番号管理サーバ１１０は、電話番号管理表３３１にこのユーザＩＤと認証番号と携帯電話機ＩＤと電話番号とを対応付けて新規に登録する（ステップS６０７）。
以上が、電話番号が登録されるまでの流れである。この登録処理を済ませておくことで、ユーザは所有している複数の筐体間で電話番号を使いまわす準備が整うことになる。
【００５３】
本発明において、図６に示したフローチャートの処理を実行し、電話番号の使用を認められた場合には、例えば、図１の状態にあったシステムが、図７の状態になる。
図１、図７においては機器間で無線で通信できる場合には、電波記号で示しているが、図７に示すように、携帯電話機１００が、図１においては通話できない状態にあったのが、図７においては通話できる状態になっている。他方、携帯電話機１０１は、図１においては通話できる状態にあったが、図７においては通話できない状態になっている。これは上述したように電話番号管理サーバ１１０が、電話番号管理表３３１の、携帯電話機１０１が使用していた電話番号の携帯電話機ＩＤを、携帯電話機１０１のＩＤから携帯電話機１００のＩＤに変更したためである。
【００５４】
当該構成を得ることで、カードの交換などの手間も無く携帯電話機間での電話番号の移動が可能となる。
電話番号の交換が容易になるので、例えば複数の筐体を持ってその日の気分に合わせて携帯電話機を換えて楽しむといった行為も可能となりユーザにとって携帯電話機のアクセサリーとしての用途が高まる。
＜補足＞
本発明である電話番号変更システムと当該システムに含まれる携帯電話機及び電話番号管理サーバについて上記実施の形態に基づいて記述したが、本発明がこれに限定されるものではないことは勿論である。以下、その変形例について述べていく。
（１）本発明は、上記実施の形態に示したように、携帯電話機において電話番号を要求し、電話番号を使用できるように設定するまでの方法であってもよい。また、当該方法における処理手順をコンピュータに実行させるコンピュータプログラムであってもよい。
【００５５】
当該プログラムは、ハードディスク装置、ＦＤ（Flexible Disc）、ＭＯ（Magneto  Optical-Disc）、ＣＤ（Compact Disc）、ＤＶＤ（Digital Versatile Disc）、ＢＤ（Blu-ray Disc）、フラッシュメモリなどに代表される各種記録媒体に記録されていてよい。
（２）上記実施の形態の図１のシステム図において示した、携帯電話機、基地局、ＡＰの数は、この図に示す数に限定されるものではない。
（３）上記実施の形態において、携帯電話機からユーザＩＤを送信することとしたが、これはユーザＩＤでなくともよい。例えば携帯電話機で使用したい電話番号を電話番号管理サーバに送信する。そして電話番号管理サーバは、その電話番号に対する認証番号要求を行い、携帯電話機で入力された認証番号が正しかったなら、当該携帯電話機のＩＤを登録するという構成にしてもよい。
（４）上記実施の形態においては、登録や電話番号の要求においてただ単にデータを送信するとのみ記述したが、送信方法に関しては特に問わない。例えば、暗号化してメールフォームで送信されてもよいし、あるいは、電話番号管理サーバがウェブページを管理していて、ＣＧＩ（Common Gateway Interface）入力により電話番号を要求できるようになっていてもよい。
（５）上記実施の形態においては、アンテナ２１１とアンテナ２２１は別のアンテナとして記述しているが共有が可能ならば共有されていてもよい。
（６）上記実施の形態においては、電話番号管理サーバ１１０が管理している電話番号は、予めユーザによって登録されているものとしたが、必ずしもユーザによって登録される必要はない。
【００５６】
例えば、電話番号管理サーバ１１０は、予め使用されていない電話番号をいくつか保持し、当該電話番号を使用するための認証番号を設定されているとする。そして、電話番号の要求が携帯電話機から到来した場合に、ユーザＩＤを登録していなくても認証番号を通知し、当該認証番号に対応する電話番号の使用許可を与える構成にしてもよい。但し、この場合、電話番号の利用は新たな契約になるので業者との契約も必要になる。
（７）上記実施の形態においては、電話番号の無い携帯電話機から電話番号管理サーバ１１０にアクセスして電話番号の要求を行ったが、電話番号を既に保持している携帯電話機であっても、電話番号の要求を行い、割り当てを行ってもよい。
【００５７】
この場合、従来使用されていた電話番号を使用できなくするかどうかはユーザまたは電気通信事業者の判断に基づく。
（８）上記実施の形態においては、電話番号の無い携帯電話機から電話番号管理サーバ１１０にアクセスして電話番号の要求を行ったが、近距離無線などで電話番号の有る携帯電話機から電話番号の無い携帯電話機に対して自機の電話番号の使用権を譲渡する構成にしてもよい。
【００５８】
例えば、電話番号を近距離無線で通知し、その際にその携帯電話機の携帯電話ＩＤを取得する。そして、電話番号を保持していた携帯電話機から電話番号管理サーバ１１０に対して、電話番号の使用権の変更を要請する構成にしてもよい。電話番号管理サーバ１１０は、当該要請を受けて、その要請とともに送信されてきた携帯電話機のＩＤを、その電話番号に対応付けるように電話番号管理表３３１を書き換える。なお、近距離無線の具体例としては、赤外線通信やBlue-toothの規格に従った通信などがあり、携帯電話機は、近距離無線通信を実行する機能を有するものとする。
【００５９】
こうすると、もともと電話番号を保持していた携帯電話機からの電話番号の要請なので認証の手間を省くことができるようになる。
（９）上記実施の形態においては、発明を理解しやすくするために、基地局とＡＰとを分けて記述したが、基地局がAPの役割を兼ねることとしてもよい。
（１０）上記実施の形態においては、携帯電話機は、インターネット網を介して電話番号管理サーバ１１０にアクセスすることとしたが、これは別に電話網、あるいはその他の通信網を経由してもよく、電話番号管理サーバ１１０に対して、電話番号の対応付けの変更の要求が到達すればよい。
（１１）上記実施の形態においては、携帯電話機１００は電話番号の割り当てをされていないものとして記述したが、携帯電話機１００は既に電話番号を割り当てられ通話ができる状態であってもかまわない。
【００６０】
この場合、携帯電話機１００から電話番号管理サーバ１１０に対して電話番号と携帯電話機ＩＤの対応付けの変更を要求し、許可された場合、携帯電話機１００は複数の電話番号に対してかけられた通話要求を受信できるようになる。
（１２）上記実施の形態においては、携帯電話機それぞれを特定するために、携帯電話機固有のＩＤを用いることとしたが、これは、ＩＤ番号である必要はなく、携帯電話機を特定する情報であればなんでもよい。
【産業上の利用可能性】
【００６１】
本発明に係る電話番号変更システムは、複数の携帯電話機で１の電話番号を使いますことができるシステムとして活用することができる。
【図面の簡単な説明】
【００６２】
【図１】電話番号変更システムの使用形態を示したシステム図である。
【図２】携帯電話機１００の機能構成を示したブロック図である。
【図３】電話番号管理サーバ１１０の機能構成を示したブロック図である。
【図４】電話番号管理サーバ１１０が保持している電話番号のデータを示した図である。
【図５】携帯電話機からサーバへの電話番号の登録の処理を示したフローチャートである。
【図６】携帯電話機において、電話番号をサーバに要求し、自機に設定されるまでの処理を示したタイミングチャートである。
【図７】図１の状態から携帯電話機１００が電話番号を要求して、電話番号管理サーバ１１０において変更された状態後のシステム図である。
【符号の説明】
【００６３】
１００〜１０２  携帯電話機
１１０  電話番号管理サーバ
１２０、１２１  アクセスポイント
１３０、１３１  基地局
１４０  インターネット網
１５０  電話網
２１０  ネットワーク通信部
２１１  アンテナ
２２０  通話通信部
２２１  アンテナ
２３０  音声処理部
２３１  マイク
２３２  スピーカ
２４０  操作部
２５０  表示部
２６０  記憶部
２７０  制御部
３１０  通信部
３２０  制御部
３２１  認証部
３３０  記憶部
３３１  電話番号管理表
【図１】
0004563954.tif 000002
【図２】
0004563954.tif 000003
【図３】
0004563954.tif 000004
【図４】
0004563954.tif 000005
【図５】
0004563954.tif 000006
【図６】
0004563954.tif 000007
【図７】
0004563954.tif 000008